(57)【要約】【課題】本発明は、芝生などの保護資材となる複層枠体の製造方法の提案にある。【解決手段】本発明は、格子状に区画され格子の交点上に突出する頂部が閉じられ下端に開口する中空の筒部と当該中空筒部に囲まれた空間内に小枠とを設けた第１の枠体と、格子状に区画され格子の交点上に突出するよう設けた第１の突部と格子に囲まれた空間内に突出する第２の突部とを設けた第２の枠体からなり、第２の枠体の第１の突部が第１の枠体の中空筒部に第１の突部周囲に空間を生じるように挿入可能とされ、第2の突部が第1の枠体の小枠内に小枠より上方に突出するように挿入可能とされ、第２の枠体上に第１の枠体を重ねたのち、小枠より上方に突出した第２の突部頭部を加熱して押し広げ、第１の枠体と第２の枠体を上下に接続して得られた複層枠体である。【選択図】図３
2009183182.tif 000002
【特許請求の範囲】
【請求項１】
格子状に区画され格子の交点上に突出する頂部が閉じられ下端に開口する中空の筒部と当該中空筒部に囲まれた空間内に小枠とを設けた第１の枠体と、格子状に区画され格子の交点上に突出するよう設けた第１の突部と格子に囲まれた空間内に突出する第２の突部とを設けた第２の枠体からなり、第２の枠体の第１の突部が第１の枠体の中空筒部に第１の突部周囲に空間を生じるように挿入可能とされ、第2の突部が第1の枠体の小枠内に小枠より上方に突出するように挿入可能とされ、第２の枠体上に第１の枠体を重ねたのち、小枠より上方に突出した第２の突部頭部を加熱して押し広げ、第１の枠体と第２の枠体を上下に接続して得られた複層枠体。
【請求項２】
格子状に区画され大多数の格子の交点上に突出する頂部が閉じられ下端に開口する中空の筒部を有し、残部の格子の交点を小枠とした第１の枠体と格子状に区画され格子の交点上に突出するよう設けた第１の突部を設けた第２の枠体からなり、第２の枠体の第１の突部が第１の枠体の中空筒部と前記小枠に第１の突部周囲に空間を生じるように挿入可能とされ、小枠内に挿入した第1の突部が小枠より上方に突出し、第２の枠体上に第１の枠体を重ねたのち、小枠より上方に突出した第１の突部頭部を加熱して押し広げ、第１の枠体と第２の枠体を上下に接続して得られた複層枠体。
【発明の詳細な説明】
【技術分野】
【０００１】
本発明は、複層枠体の製造技術に属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立入る人の、あるいは車の踏圧から植物を保護するための図７に示すような踏圧部と透孔部からなる植物保護資材（特開平2-145137、特開平4-75541、特開平5-56724）などが各種提案され使用されている。これらの植物保護資材は格子状のリブの交点に踏圧部を設け、リブで囲まれた空間を透水部として芝生などの植物の育成区間とし、同時に雨水が地中に浸透する領域としている。また、これら芝生などの保護資材で、踏圧からの反動を和らげるため、地盤に設置する基礎枠体の上部に柔らかい素材もしくは踏圧の面積を大きくした上部枠を接続した複層の保護資材がある。
エラストマー製あるいはゴム製のような柔らかい素材で形成された上部枠を基礎枠に直接接続すると素材の硬軟で接続が不十分となる。そのため基礎枠と上部枠との間に両者を仲介する第３の枠が必要となる。本発明者らは特願2007-66323において上部枠に先端が閉じ下端が開口した中空の筒部を上部踏圧部とし、第３の枠として基礎枠との接続部を有し中空筒部に挿入する突部を有するものを提案している。第3の枠と上部枠との確実な接続方法が求められている。
【０００３】
【特許文献１】特開平2-145137
【特許文献２】特開平4-75541
【特許文献３】特開平5-56724
【特許文献４】特願2007-66323
【発明の開示】
【発明が解決しようとする課題】
【０００４】
本発明は、芝生などの保護資材となる複層枠体の製造方法の提案にある。
【課題を解決するための手段】
【０００５】
本第1の発明は、格子状に区画され格子の交点上に突出する頂部が閉じられ下端に開口する中空の筒部と当該中空筒部に囲まれた空間内に小枠とを設けた第１の枠体と、格子状に区画され格子の交点上に突出するよう設けた第１の突部と格子に囲まれた空間内に突出する第２の突部とを設けた第２の枠体からなり、第２の枠体の第１の突部が第１の枠体の中空筒部に第１の突部周囲に空間を生じるように挿入可能とされ、第2の突部が第1の枠体の小枠内に小枠より上方に突出するように挿入可能とされ、第２の枠体上に第１の枠体を重ねたのち、小枠より上方に突出した第２の突部頭部を加熱して押し広げ、第１の枠体と第２の枠体を上下に接続して得られた複層枠体である。
本第２の発明は、格子状に区画され大多数の格子の交点上に突出する頂部が閉じられ下端に開口する中空の筒部と、残部の格子の交点を小枠とした第１の枠体と、格子状に区画され格子の交点上に突出するよう設けた第１の突部を設けた第２の枠体からなり、第２の枠体の第１の突部が第１の枠体の中空筒部と前記小枠に第１の突部周囲に空間を生じるように挿入可能とされ、小枠内に挿入した第1の突部が小枠より上方に突出し、第２の枠体上に第１の枠体を重ねたのち、小枠より上方に突出した第１の突部頭部を加熱して押し広げ、第１の枠体と第２の枠体を上下に接続して得られた複層枠体である。
【発明の効果】
【０００６】
本発明は、第1の枠体と第２の枠体を重ね、第２の枠体の第２の突部を第1の枠体の小枠内に挿入し、小枠から突出する第２の突部頭部を加熱して押し広げたため、突部頭部は小枠から外れないため、第1の枠体と第２の枠体の接続が確実なものとなる。
【発明を実施するための最良の形態】
【０００７】
以下本発明を図により詳細に説明する。
図１は、本発明に係る第1の枠体の概念図である。
図１ａは第1の枠体の平面図、図１ｂはA-A’線での第1の枠体の断面図である。
図１に示すように、本第1の枠体は、格子状とされ、各格子の交点に上部が閉じ、下面に開放した中空の筒部を踏圧部として設けたものである。格子で囲まれた領域の一部に小枠が設けられている。
本第1の枠は、エラストマーあるいはゴム製として踏圧の軽減を図り、かつ上部からの踏圧で収縮し内部の空気を芝などに供給することができる。
【０００８】
図２は、本発明に係る第2の枠体の概念図である。
図２ａは第２の枠体の平面図、図２ｂはA-A’線での第２の枠体の断面図である。
図２に示すように、本第２の枠体は、第1の枠体と重なる格子状とされ、各格子の交点に第1の突部が設けられている。この第1の突部は第1の枠体の筒部に挿入可能で、挿入されたとき筒部内側面と第1部の突部との間には空間が設けられ、筒部が踏圧を受けた時、筒部内の空気が押し出されるようになっている。格子で囲まれた領域の一部にはその領域内から立ち上がる第２の突部が設けられている。
【０００９】
図３は、第1の枠体と第2の枠体を重ね合わせた複層枠体を示す概念図である。図３ａは複層枠体の平面図、図３ｂは、A-A’線での断面図を示す。図３ｂでハッチングを施した部分が第２の突部と小枠を示している。図３ｃは第2の枠体と小枠との関係を示す部分拡大図である。図に示すように第2の突部は第1の枠体の小枠内に挿入され。挿入された第2の突部の頭部は小枠の上部に突出する。
図4は第２突部の頭部で小枠の上部に突出した部分を加熱により押し広げ小枠から隔離しないようにした状態を示している。加熱の方法は電熱、超音波など既存の方法が適用できる。
【００１０】
第1の枠体の小枠と第２の枠体の第２の突部は重なり合わせた時、相対応する位置にあり、互いに上下に接続したとき、強固な接続が得られるよう必要な個数枠体内に分散させる。
【００１１】
上記複層枠体は第１の枠体と第２の枠体を接続させる際、第１の枠体の小枠と第２の枠体の第２の突部はいずれもリブで囲まれた空間領域に設けた。両枠体を接続するに際し、小枠と第２の突部は格子上に設けてもなんら差し支えない。
例えば、第１の枠体の一部の格子を小枠とし第２の枠体の格子上に設けた突部を挿入できるようにしておくことも可能である。
【００１２】
以下本複層枠体の使用例を説明する。
第１例は基礎枠体上に接続して使用する場合であり、第２例は単独で使用する場合である。
基礎枠体上に接続して使用する例につき図を用いて説明する。
図５は基礎枠体を示す概念図である。従来の芝生保護資材と同様戴円錐体を基礎踏圧部とし互いにリブで結合し互いに左右に連結するための継手を有している。踏圧部で囲まれた領域が基礎透水部であり、土壌を充填し芝などの育つ領域であり同時に雨水などが地中に浸透していく場所となっている。
【００１３】
なお、基礎踏圧部の頂部には複合枠体を構成する第２の枠体との接続部が設けられている。本例では接続部は踏圧部頂部に設けられた十字の溝と残部の４つの扇形断辺である。また、第２の枠体下部にも上記十字の溝に嵌る十字の板と扇形断辺下に押し込まれる十字の突辺からなる接続部が設けられている。
【００１４】
図６は上記基礎枠体と複層枠体を接続した状態を示す概念図である。
基礎枠で重い踏圧を支え、反力は複層枠体の踏圧部で軽減する芝生などの保護資材となる。なお、軽い踏圧のみが期待される場所では、複層枠体のみで使用可能である。この場合基礎枠体との接続するための接続部は必要がない。
【００１５】
基礎枠、第1の枠体および第2の枠体まで枠体はポリオレフィンのポリプロピレンあるいはポリエチレン等の熱可塑性樹脂が使用できる。第１の枠体は特に踏圧を和らげるため上述したようにエラストマーあるいはゴム製とすることができる。
【図面の簡単な説明】
【００１６】
【図１】本発明に使用する第１の枠体の概念図である。
【図２】本発明に使用する第２の枠体の概念図である。
【図３】本発明の複層枠体の概念図を示す。
【図４】複層枠体の接続部の拡大図である。
【図５】基礎枠の概念図を示す。
【図６】複層枠体の使用例を示す概念図である。
【図７】従来の枠体の概念図である。
【符号の説明】
【００１７】
１  第１の枠体
１１  第1の枠体の踏圧部
１２  小枠
２  第２の枠体
２１  第１の突部
２２  第２の突部
３  基礎枠
３１  基礎踏圧部
３２  基礎透水部
４  第２の枠体の接続部
５  基礎枠の接続部
【図１】
2009183182.tif 000003
【図２】
2009183182.tif 000004
【図３】
2009183182.tif 000005
【図４】
2009183182.tif 000006
【図５】
2009183182.tif 000007
【図６】
2009183182.tif 000008
【図７】
2009183182.tif 000009